(57)【要約】【課題】室内における密閉性及び換気性を向上させると共に、通気量の調節を容易且つ正確に行うことが出来る通気装置を提供する。【解決手段】室内外を連通する筒状本体を備えた通気装置であって、通気方向に対して垂直に配設した回転軸部と、当該回転軸部に固定され、当該回転軸部を中心として回動可能な板状弁体と、当該回転軸部と結合し、当該板状弁体を回転させて当該通気孔の開閉を行う駆動手段と、通気孔内壁に設けられ、当該板状弁体の外周縁と当接して当該板状弁体の閉状態を保持する弁座とを備えたことを特徴とする通気装置を採用する。【選択図】図１
2016099071.tif 000002
【特許請求の範囲】
【請求項１】
室内外を連通する筒状本体を備えた通気装置であって、
通気方向に対して垂直に配設した回転軸部と、
当該回転軸部に固定され、当該回転軸部を中心として回動可能な板状弁体と、
当該回転軸部と結合し、当該板状弁体を回転させて通気孔の開閉を行う駆動手段と、
通気孔内壁に設けられ、当該板状弁体の外周縁と当接して当該板状弁体の閉状態を保持する弁座とを備えたことを特徴とする通気装置。
【請求項２】
前記通気孔内壁は、室外側に向かって下り勾配となる傾斜部を有し、当該傾斜の角度が水平面に対し１０°〜１５°である請求項１に記載の通気装置。
【請求項３】
前記筒状本体は、蛇腹状部を有する請求項１又は請求項２に記載の通気装置。
【請求項４】
前記通気孔に換気用ファンを備える請求項１〜請求項３のいずれかに記載の通気装置。
【請求項５】
前記通気孔に防塵フィルターを備える請求項１〜請求項４のいずれかに記載の通気装置。
【請求項６】
前記筒状本体の端部に風向き調整板を設けたカバーを備える請求項１〜請求項５のいずれかに記載の通気装置。
【発明の詳細な説明】
【技術分野】
【０００１】
本件発明は、室内の換気を行うための通気装置に関し、特に室内における密閉性及び換気性を向上させると共に、通気量の調節を容易且つ正確に行うことの出来る通気装置に関する。
【背景技術】
【０００２】
従来より、住宅において、室内が負圧になるのを解消したり、カビやダニの繁殖や、家具や建材等から発散する揮発性有機化合物による室内空気汚染等を原因とするシックハウス対策のために、外壁の貫通により室外（屋外）と室内とを連通させて換気を行う通気装置が備えられている。この通気装置は、一般的に、通気孔を備えた筒状本体を、外壁を貫通させた状態で設置し、当該筒状本体の両端に昆虫や小動物の侵入を防ぐためのカバーを備えただけのシンプルな構造を備えたものが用いられている。但し、中には、通気量の調節が可能なものも開発されており、通気量を調節するために、当該筒状本体の室内側の通気口に重なり合った２枚の羽根板の一方を手でスライドさせて当該通気孔を塞ぐ等した構造を備えたものも存在する。
【０００３】
例えば、特許文献１には、従来公知のものとして、重ね合った２枚の換気扇を室内側換気口に設け、当該換気扇の中央に突き出したつまみを指で回すことにより、一方の換気扇を揺動させることで開口面積を変化させ、給気流量を調節する構造を備えた通気装置について開示している（特許文献１の段落０００６，０００７等参照のこと。）。
【０００４】
また、特許文献２には、外気を導入するレジスター本体の開口を塞ぐ大きさのレジスターキャップをレジスター本体に連結したものであり、レジスターキャップに固定された円筒形のネジ軸と、レジスター本体に固定された中空円筒形の軸受部材とを有し、ネジ軸が螺旋溝を有し、軸受部材が螺旋溝に嵌合する球体と、球体を螺旋溝に付勢する付勢手段とを有する通気装置について開示している（特許文献２の段落００１７，００１８等参照のこと。）。なお、特許文献２に開示の通気装置は、レジスターキャップを手で回転させて当該レジスターキャップをレジスター本体に密着させ又は離隔させることで、開口面積の調整することが出来る。
【先行技術文献】
【特許文献】
【０００５】
【特許文献１】特開２０００−３０４３２１号公報
【特許文献２】特開２００７−１９２４２８号公報
【発明の概要】
【発明が解決しようとする課題】
【０００６】
しかし、特許文献１に開示の通気装置では、換気扇を揺動させて換気口を閉じた場合に室内の気密性を高く確保することが難しく、室内における冷暖房の効果が損なわれてしまう。また、特許文献１に開示の通気装置は、その構造上、換気扇を揺動させて換気口を最大限に開いても開口面積が換気口断面積の半分程度にしかならず、通気量を十分に確保することが困難であった。更に、特許文献１に開示の通気装置は、手動で換気口の開閉を行うため、換気口の開口率を正確に調整することが出来ず、通気量の調節が困難となっていた。
【０００７】
また、特許文献２に開示の通気装置では、室内側の換気口カバーが換気孔に対向する構造であるために、外気を室内に取り入れる際に妨げとなり、通気量を十分に確保することが困難であった。また、特許文献２に開示の通気装置についても、特許文献１に開示の通気装置と同様に、手動で換気口の開閉を行うため、換気口の開口率を正確に調整することが出来ず、通気量の調節が困難となっていた。
【０００８】
以上のことから、本件発明は、室内における密閉性及び換気性を向上させると共に、通気量の調節を容易且つ正確に行うことが出来る通気装置を提供することを目的とする。
【課題を解決するための手段】
【０００９】
そこで、本発明者等は、鋭意研究を行った結果、以下に述べる通気装置を採用することで、上述した課題を解決するに至った。
【００１０】
本件発明に係る通気装置は、室内外を連通する筒状本体を備えた通気装置であって、通気方向に対して垂直に配設した回転軸部と、当該回転軸部に固定され、当該回転軸部を中心として回動可能な板状弁体と、当該回転軸部と結合し、当該板状弁体を回転させて通気孔の開閉を行う駆動手段と、通気孔内壁に設けられ、当該板状弁体の外周縁と当接して当該板状弁体の閉状態を保持する弁座とを備えたことを特徴とする。
【００１１】
本件発明に係る通気装置において、前記通気孔内壁は、室外側に向かって下り勾配となる傾斜部を有し、当該傾斜の角度が水平面に対し１０°〜１５°であることが好ましい。
【００１２】
本件発明に係る通気装置において、前記筒状本体は、蛇腹状部を有することが好ましい。
【００１３】
本件発明に係る通気装置は、前記通気孔に換気用ファンを備えることが好ましい。
【００１４】
本件発明に係る通気装置は、前記通気孔に防塵フィルターを備えることが好ましい。
【００１５】
本件発明に係る通気装置は、前記筒状本体の端部に風向き調整板を設けたカバーを備えることが好ましい。
【発明の効果】
【００１６】
本件発明に係る通気装置によれば、室内における密閉性及び換気性を向上させると共に、通気量の調節を容易且つ正確に行うことが可能となる。従って、本件発明に係る通気装置によれば、室内の冷暖房の効果を高めたり、室内に取り入れる外気の量や室内の空気を排出する量の調節を、誰もが正確に行うことが出来るようになる。
【図面の簡単な説明】
【００１７】
【図１】本件発明に係る通気装置の一実施形態（板状弁体が閉じた状態）を示した横断面図である。
【図２】本件発明に係る通気装置の一実施形態（板状弁体が開いた状態）を示した横断面図である。
【図３】図１に示す通気装置をＡ−Ａ線で切断したときの断面図である。
【図４】図１に示すＢで示した箇所を拡大した図である。
【図５】本件発明に係る通気装置の使用例を説明するための模式図である。
【発明を実施するための形態】
【００１８】
以下に、図１〜図５を参照して、本件発明に係る通気装置の一実施の形態を説明する。
【００１９】
本件発明に係る通気装置１は、室内外を連通する筒状本体５を備えた通気装置であって、通気方向に対して垂直に配設した回転軸部２と、当該回転軸部２に固定され、当該回転軸部２を中心として回動可能な板状弁体３と、当該回転軸部２と結合し、当該板状弁体３を回転させて通気孔６の開閉を行う駆動手段４０と、通気孔内壁７に設けられ、当該板状弁体３の外周縁と当接して当該板状弁体３の閉状態を保持する弁座４とを備えたことを特徴とする。
【００２０】
このように、本件発明に係る通気装置１は、室内外を連通して通気可能な筒状本体５を備えたものである。ちなみに、当該筒状本体５に備わる通気孔６の断面形状は、特に限定されず、円形、楕円形、多角形等様々な形状とすることができ、居住者や施工者等のニーズに応えることが出来る。
【００２１】
また、本件発明に係る通気装置１は、当該筒状本体５の通気孔内壁７が、室外側に向かって下り勾配となる傾斜部５ａを有し、当該傾斜の角度θが水平面Ｘに対し１０°〜１５°であることが好ましい（図４参照のこと。）。ここで、当該傾斜の角度θが水平面Ｘに対し１０°未満の場合には、当該筒状本体５の室外（屋外）側の端部より雨水が内部に流入して、室内に流出する等して好ましくない。また、当該傾斜の角度θが水平面Ｘに対し１５°を超える場合には、当該筒状本体５の配設にあたり、室壁を直線状に穿孔した室壁孔の拡張作業に手間を要するため好ましくない。なお、当該室壁孔と当該筒状本体５との間に生じる空間には、断熱材等を詰めて隙間を埋めることが出来る。また、当該筒状本体５において、当該傾斜部５ａを設ける範囲は、雨水が内部に流入するのを確実に防ぐことが可能であれば良く、具体的には当該筒状本体５の室外側端部から少なくとも８ｃｍ程度の範囲にわたって設けることが好ましい。
【００２２】
また、本件発明に係る通気装置１において、筒状本体５は、蛇腹状部５ｂを有することが好ましい。本件発明の筒状本体５は、蛇腹状部５ｂを有することで、あらゆる室壁の厚さに対応させることができ、当該筒状本体５の全長が当該筒状本体５を配設する室壁の厚さと合わない場合であっても、当該室壁より当該筒状本体５の端部が引っ込んだり、突き出したりする問題が生じない。
【００２３】
そして、本件発明に係る通気装置１は、主に回転軸部２と、板状弁体３と、駆動手段４０と、弁座４とから構成されるものである。以下に、これらの構成について説明する。
【００２４】
＜回転軸部について＞
本件発明の回転軸部２は、通気方向（図２に示す矢印参照のこと。）に対して垂直に配設するものであればよく、配設する際の角度は特に限定されない。すなわち、本件発明の回転軸部２は、図１，２に示すような略水平に配設するものに限らず、例えば水平面に対して略垂直に配設することも出来る。従って、本件発明の回転軸部２は、通気装置１を設置する箇所の構造等を考慮して適宜配設する角度を設定することが出来る。なお、本件発明の回転軸部２は、筒状本体５に軸受け２ａを設けることで、常に安定した回転を実現することが出来る。ちなみに、本件発明の回転軸部２は、その材質に関して限定されず、使用環境に合わせて適宜選択することが出来る。
【００２５】
＜板状弁体について＞
本件発明の板状弁体３は、図１〜図３に示す如く、上述した回転軸部２に回転可能に固定されるものである。ここで、当該板状弁体３は、１枚の羽根板からなるものとしたり、２枚の羽根板で構成されるものとすることが出来る。なお、本件発明の板状弁体３は、２枚の羽根板で構成されるものとした場合、回転軸部２に対してその両側面を挟み込むようにして固定する。そして、本件発明の板状弁体３は、上述した回転軸部２の配設角度によって縦方向や横方向等任意の方向に回転させた場合に、通気孔６を閉鎖可能な形状を呈する。すなわち、本件発明の板状弁体３が１枚の羽根板からなる場合には、その形状は通気孔６の断面形状と同じ形状となる（図３参照のこと。）。また、本件発明の板状弁体３は、このような形状とすることで、通気孔を最大限に開いた場合に、開口面積が通気孔断面積と同程度の面積とすることができ、通気量を十分に確保することが可能となる。ちなみに、本件発明の板状弁体３は、その材質に関して限定されず、回転軸部２の材質や使用環境に合わせて適宜選択することが出来る。
【００２６】
＜駆動手段について＞
本件発明の駆動手段４０は、上述した板状弁体３を自在に回動させて通気孔６の開閉を行うことが出来る特性を備えたものであればよく、特に限定されない。例えば、本件発明の駆動手段４０は、油圧式モーターや電気式モーター等を使用環境等に応じて適宜用いることが出来る。また、本件発明の駆動手段４０は、回転軸部２との接続に関しても、特に限定されず、ギアやプーリを介した結合により接続することが出来る。本件発明の駆動手段４０は、接続する回転軸部２を回動させることで、当該回転軸部２に固定された板状弁体３の開閉を自在に行うことができ、当該板状弁体３を閉じた場合（図１参照のこと。）に室内の気密性が確保され、当該板状弁体３を開いた場合（図２参照のこと。）に室内の換気が行われる。また、本件発明の駆動手段４０は、接続する回転軸部２を所定の角度分回転させることもでき、このときの板状弁体３の回動量により通気孔６の開口率を正確に調整することが可能である。
【００２７】
＜弁座について＞
本件発明の弁座４は、通気孔６を閉状態としたときに当該板状弁体３の外周縁と通気孔内壁面７との間に生じる隙間を完全に塞ぐために、通気孔６の内壁面に板状壁を延設してなるものである（図３参照のこと。）。よって、本件発明の弁座４によれば、板状弁体３の回転の規制を行い、板状弁体３を閉じた際に外気との遮断を確実に行うことが出来るため、室内の密閉性の向上が図られ、室内の冷暖房の効果が高められると共に、室内温度を常時設定した温度に保つことが可能となる。ちなみに、本件発明の弁座４は、その材質に関して特に限定されないが、上述した板状弁体３との密着性に優れ且つ外気温の変化による影響を受け難いシリコン系の材質を好適に用いることが出来る。
【００２８】
以上に、本件発明に係る通気装置１の主な構成について説明したが、本件発明に係る通気装置１は、これらの構成以外にも使用環境等に応じて様々な構成を備えることが出来る。
【００２９】
本件発明に係る通気装置１は、通気孔６に換気用ファン３０を備えることが好ましい。通気孔６に換気用ファン３０を備えることで、室内の換気を速やかに行うことが可能となる。ちなみに、図１，２に示す通気装置１では外気を室内に取り入れる目的で当該換気用ファン３０が設けられたものであるが、本件発明に係る通気装置１は、図１，２に示す方向とは反対方向にファンの向きを変え、室内の空気を排出する目的で当該換気用ファン３０を設けるものとすることも出来る。なお、当該換気用ファン３０は、通気方向（図２に示す矢印参照のこと。）に対して垂直に配設した支柱３２に固定したモーター３１の回転軸と接続され、当該モーター３１を制御することで、当該換気用ファン３０の回転又は停止を実行することが出来る。
【００３０】
また、本件発明に係る通気装置１は、通気孔６に防塵フィルター２０を備えることが好ましい。通気孔６に防塵フィルター２０を備えることで、室外（屋外）から塵や埃が室内に侵入するのを防止し、室内にいる人が喘息やアレルギー等の症状を引き起こすのを防ぐことが出来る。
【００３１】
また、本件発明に係る通気装置１は、筒状本体５の端部に風向き調整板１３を設けたカバー１２を備えることが好ましい。図１，２に示すように、本件発明に係る通気装置１は、当該筒状本体５の室外（屋外）側の端部に、風向き調整板１３を設けたカバー１２を備えることで、台風等強風が吹き荒れる環境において室内に入り込む外気量を適切な量に調整することが出来る。また、図示していないが、本件発明に係る通気装置１は、当該筒状本体５の室内側の端部に、風向き調整板を設けたカバー１０に備えることで、室内に入る外気が室内にいる人に直接当たらないように風向きの調整をすることが出来る。なお、本件発明に係る通気装置１は、昆虫や小動物が筒状本体５の内部に進入するのを防止すべく、当該カバー１０，１２の内部に網１１，１４を設けることも出来る（図１，２参照のこと。）。
【００３２】
以上、本件発明に係る通気装置１の一実施の形態について説明したが、本件発明に係る通気装置１は、例えば図５に示すように筒状本体５を配設し、室外（屋外）に設けた一つの換気口を用いて住宅内の複数の室内６０，７０の換気を同時に行うことも可能である。このときに、筒状本体５は、複数の板状弁体３ａ，３ｂ，３ｃを用いたり、各室内６０，７０に外気が行き届くように当該筒状本体５にダクトやパイプ等を接続する構成とすることも出来る。ちなみに、図５では、符号３ａの板状弁体が閉じており、また、符号３ｂ，３ｃの板状弁体が開いているために、符号６０の室内は気密性が確保され、符号７０の室内は外気が通気孔６を通り換気されることとなる（図５に示す矢印参照のこと。）。このように、本件発明に係る通気装置１によれば、室内にいる人の意図的な操作により、複数の板状弁体をそれぞれ制御して開閉させ、複数の室内について同時に換気を行ったり、指定した室内のみ換気を行うことも出来る。
【産業上の利用可能性】
【００３３】
本件発明に係る通気装置は、室内における、密閉性及び換気性を向上させると共に、通気量の調節を容易且つ正確に行うことができ、更に簡易な構造であるため、施工が容易となり、住宅や工場等の建物に好適に用いることが出来る。また、本件発明に係る通気装置は、筒状本体の内部に香料容器やイオン発生器等を備えることもでき、様々なニーズに対応することが出来る。
【符号の説明】
【００３４】
１      通気装置
２      回転軸部
２ａ    軸受け
３      板状弁体
４      弁座
５      筒状本体
５ａ    傾斜部
５ｂ    蛇腹状部
６      通気孔
７      通気孔内壁
１０    カバー（室内側）
１１    網（室内側）
１２    カバー（室外側）
１３    風向き調整板
１４    網（室外側）
２０    防塵フィルター
３０    換気用ファン
３１    モーター
３２    支柱
４０    駆動手段
５０    壁
６０    室内
７０    室内
【図１】
2016099071.tif 000003
【図２】
2016099071.tif 000004
【図３】
2016099071.tif 000005
【図４】
2016099071.tif 000006
【図５】
2016099071.tif 000007